(57)【特許請求の範囲】
【請求項１】
少なくとも１つの発光体を備えて構成され、発光する箇所が変化する発光部と、
ハーフミラーでカップ状に形成され、内側に前記発光部が設けられている第１の部材と、
透明体もしくは半透明体で構成されており、前記発光部とは反対側で前記第１の部材に重なっている第２の部材と、
を有し、前記第１の部材の外面の一部が前記第２の部材の内面の一部に線接触していることを特徴とする発光具。
【請求項２】
請求項１に記載の発光具において、
透明体もしくは半透明体で構成され、総てが前記第１の部材の内部に設けられているオブジェを有することを特徴とする発光具。
【請求項３】
請求項１または請求項２に記載の発光具において、
前記発光部を構成している発光体は複数設けられており、前記複数の発光体は、所定の円の円周を分配する位置に配置されており、前記各発光体が、前記円に沿った所定の方向で順に点灯し消灯するように構成されていることを特徴とする発光具。
【発明の詳細な説明】
【技術分野】
【０００１】
本発明は、発光具に係り、特に、発光部が発した光が、透明体もしくは半透明体に入射しまた反射し、発光具から光が照射されるものに関する。
【背景技術】
【０００２】
従来の発光具として、光源とスクリーンとの間に、一部に透過部が設けられている遮光材を設けた発光具が知られている。この従来の発光具では、遮光材の透過部を光源の光が透過することで、遮光材の透過部の形態に応じた絵柄がスクリーンに投影され、装飾性が演出されるようになっている。なお、従来の技術に関する文献として特許文献１を掲げることができる。
【先行技術文献】
【特許文献】
【０００３】
【特許文献１】特開２００８−２２８７６１号公報
【発明の概要】
【発明が解決しようとする課題】
【０００４】
ところで、従来の発光具では、スクリーンに投影される絵柄が単純であり、装飾性が劣るという問題がある。
【０００５】
なお、従来の発光具において、発光体を複数設け、点灯するものを時刻の経過に応じて変えることで、スクリーンに投影される絵柄を移動させたとしても、やはり変化にとぼしく、装飾性に劣る。
【０００６】
本発明は、上記問題点に鑑みてなされたものであり、発光部と透明体もしくは半透明体で構成された部材を備えた発光具において、従来よりも装飾性が高いものを提供することを目的とする。
【課題を解決するための手段】
【０００７】
請求項１に記載の発明は、少なくとも１つの発光体を備えて構成され、発光する箇所が変化する発光部と、ハーフミラーでカップ状に形成され、内側に前記発光部が設けられている第１の部材と、透明体もしくは半透明体で構成されており、前記発光部とは反対側で前記第１の部材に重なっている第２の部材とを有し、前記第１の部材の外面の一部が前記第２の部材の内面の一部に線接触している発光具である。
【０００８】
請求項２に記載の発明は、請求項１に記載の発光具において、透明体もしくは半透明体で構成され、総てが前記第１の部材の内部に設けられているオブジェを有する発光具である。
【０００９】
請求項３に記載の発明は、請求項１または請求項２に記載の発光具において、前記発光部を構成している発光体は複数設けられており、前記複数の発光体は、所定の円の円周を分配する位置に配置されており、前記各発光体が、前記円に沿った所定の方向で順に点灯し消灯するように構成されている発光具である。
【発明の効果】
【００１１】
本発明によれば、発光部と発光部と透明体もしくは半透明体で構成された部材を備えた発光具において、従来よりも装飾性が高いものを提供することができるという効果を奏する。
【図面の簡単な説明】
【００１２】
【図１】本発明の第１の実施形態に係る発光具の斜視図である。
【図２】本発明の第１の実施形態に係る発光具の第１の部材の展開図である。
【図３】変形例に係る発光部の概略構成を示す平面図である。
【図４】（ａ）は、本発明の第２の実施形態に係る発光具の外観を示す斜視図であり、（ｂ）は、（ａ）におけるオブジェのＩＶＢ矢視図である。
【図５】変形例に係る発光具の斜視図である。
【図６】変形例に係る第１の部材の斜視図である。
【図７】図６に示す第１の部材の展開図である。
【図８】（ａ）は、本発明の第３の実施形態に係る発光具の第１の部材および第２の部材の斜視図であり、（ｂ）は、（ａ）で示すものの変形例を示す図である。
【図９】（ａ）は、図８（ａ）におけるＩＸＡ−ＩＸＡ断面を示す図であり、（ｂ）は、図８（ｂ）におけるＩＸＢ−ＩＸＢ断面を示す図である。
【図１０】変形例に係る発光具の第１の部材および第２の部材の斜視図である。
【図１１】変形例に係る発光具の断面図である。
【図１２】第１の部材や第２の部材の変形例を示す斜視図である。
【発明を実施するための形態】
【００１３】
［第１の実施形態］
本発明の第１の実施形態に係る発光具（発光装飾具）１は、図１で示すように、発光部３と、第１の部材（第１の収容体）５とを備えて構成されている。
【００１４】
発光部３は、少なくとも１つの発光体（たとえば、光（可視光）を発する２つのＬＥＤ７（７Ａ，７Ｂ））を備えて構成されている。そして、発光部３では、時刻の経過とともに、発光する箇所（発光するＬＥＤ７；第１の部材５に対する位置）が変化するようになっている。
【００１５】
第１の部材５は、透明体もしくは半透明体（たとえば、ハーフミラー）で筒状もしくはカップ状に形成されている。発光部３は、第１の部材５の内側に設けられている。
【００１６】
また、第１の部材５は、発光部３が発した光の一部を透過し、他の一部を反射するようになっている。
【００１７】
発光部３は、たとえば、ベース体９の上面に設けられている２つのＬＥＤ７Ａ，７Ｂで構成されている。ベース体９の内部（ＬＥＤ７の下方）には、電源（図示せず）とＬＥＤ７Ａ，７Ｂの発光パターンを制御する制御基板（図示せず）とが設けられている。そして、たとえば、２つのＬＥＤ７Ａ，７Ｂが交互に点滅するようになっている。
【００１８】
さらに具体的に説明すると、第１の部材５は、円錐の側面状でカップ状に形成されている。すなわち、第１の部材５の展開図は、図２で示すような扇形になっている。
【００１９】
図２に示す扇形のものは、図２の紙面に直交する方向に厚さがあるシート状に形成されている。また、図２に示す扇形のものは、シートの厚さ方向の両面で、光の一部を反射し、光の一部を透過するようになっている。
【００２０】
なお、第１の部材５の表面に、必ずしも反射加工がされている必要はなく、発光部３が発した光を第１の部材５にあてたとき、光の一部が第１の部材５の表面で反射され、光の他の一部が第１の部材５を透過するようになっていればよい。
【００２１】
合成樹脂やガラス等の材料で第１の部材５を形成した場合、この第１の部材５の表面（たとえば、図２に示す扇形のものの厚さ方向の両面）に、コーティング等の特殊な反射防止加工を施さない限り、第１の部材５は、光の一部を反射し、光の一部を透過するようになっている。
【００２２】
また、第１の部材５がハーフミラーで構成されている場合には、光の透過率と反射率は、お互いがほぼ等しくなっている。
【００２３】
上記説明では、カップ状の一形態として、円錐側面状の形態を掲げたがこの形態に限定されるものではない。
【００２４】
ところで、カップ状とは、殻状の立体を所定の１箇所（たとえば所定の１つの平面）で２つに分割したときに得られる２つの立体のうちの１つの立体（たとえば大きいほうの立体）の形状である。
【００２５】
殻状の立体とは、所定形状の立体（たとえば貫通孔が形成されていない所定形状の中実立体）の全表面を、たとえば一定の厚さの膜で覆ったときの上記膜で形成される形状の立体である。この膜の形状（殻状の立体）は、上記所定形状の立体を含まないことで内部に上記所定形状の立体と同形状の空間が形成されている。なお、上記膜の厚さが一定ではなく部位によって適宜変化していてもよい。
【００２６】
カップ状（カップ状の立体）では、膜の厚さ方向の一方の面（カップ状の立体の外面）が全体として凸状になっており、膜の厚さ方向の他方の面（カップ状の立体の内面）が全体として凹状になっている。
【００２７】
第１の部材５は、カップ状であって回転体状に形成されていることが望ましい。円錐側面状は、カップ状であって回転体状の例である。
【００２８】
ここで、回転体とは、１つの平面上に１本の直線で構成された中心軸を描き、所定の１本の線を、上記中心軸まわりで３６０°回転したときに、上記所定の１本の線の軌跡で表される立体である。なお、カップ状の第１の部材５は、実際には肉厚があるので、上記所定の１本の線は、若干の幅を備えているものとして考えることにする。
【００２９】
上記所定の１本の線は、延伸方向の一端が上記中心軸上に存在しており、上記中心軸を境界にした上記１つの平面の一方の側で上記中心軸から離れる側に延伸している。上記所定の１本の線の延伸方向の他端は、上記中心軸から離れている。
【００３０】
カップ状の回転体においては、上記所定の１本の線は、直線、曲線の少なくともいずれかで形成されている。ただし、上記所定の１本の線が、上記中心軸に対して直交する線分のみで構成されている場合には、上記軌跡はカップ状にはならない。
【００３１】
また、上記所定の１本の線は、これ自身が交わっていることはない。さらに、上記所定の１本の線が、上記中心軸に対して直交する線分のみで構成されている場合を除き、上記中心軸の延伸方向で、上記所定の１本の線の延伸方向の一端の位置と他端の位置とは、お互いが異なっている。
【００３２】
第１の部材５は、たとえば背の低い円柱状に形成されたベース体９の上面に一体的に設置されている。これによって、円錐側面状の第１の部材５の円形状の開口部（円錐の底面に相当する部位）が、ベース体９によって塞がれており、第１の部材５とベース体９とで囲まれた円錐状の空間内に、ＬＥＤ７Ａ，７Ｂが収まっている。
【００３３】
なお、発光部３が、たとえば、図３で示すように、複数のＬＥＤ７（７Ａ〜７Ｌ）を備えて構成されており、発光部３のＬＥＤ７（７Ａ〜７Ｌ）のそれぞれが独自に（お互いが異なる態様で）点灯しまた消灯する（点滅する）ようになっていてもよい。そして、各ＬＥＤ７（７Ａ〜７Ｌ）のそれぞれが、順に点灯し消灯することで、発光部３の発光箇所が時刻経過とともに変化するように構成されていてもよい。
【００３４】
図３で示す態様についてさらに説明する。ＬＥＤ７（７Ｇ〜７Ｌ）として、ビーム角がたとえば広角（たとえば、８０°〜１２０°）であるものが採用されている。また、発光部３は、第１群のＬＥＤ７Ａ〜７Ｆと、第２群のＬＥＤ７Ｇ〜７Ｌとで構成されている。
【００３５】
第１群のＬＥＤ７Ａ〜７Ｆは、ベース体９の上面の第１の直径の円（仮想円）１１の円周を当分配する位置に配置されている。第２群のＬＥＤ７Ｇ〜７Ｌは、ベース体９上面の第２の直径の円（仮想円）１３の円周を当分配する位置に配置されている。第１の直径の円１１と第２の直径の円１３とは、同一平面上に存在しており、各円１１，１３の中心Ｃ１がお互いに一致している。また、各円１１，１３の中心Ｃ１は、第１の部材５の中心軸上に存在している。
【００３６】
さらに、第１群のＬＥＤ７Ａ〜７Ｆのそれぞれと、第２群のＬＥＤ７Ｇ〜７Ｌのそれぞれとは、交互に配置されている。すなわち、ＬＥＤ７Ａと各円１１，１３の中心Ｃ１とＬＥＤ７Ｇとで形成される角度α１は、ＬＥＤ７Ｇと各円１１，１３の中心Ｃ１とＬＥＤ７Ｂとで形成される角度α２と等しくなっている。
【００３７】
第１群のＬＥＤ７Ａ〜７Ｆのそれぞれは、所定の回転方向（図３では時計まわりの方向）で順に点灯し消灯する（点滅する）ようになっている。第２群のＬＥＤ７Ｇ〜７Ｌのそれぞれは、第１群のＬＥＤ７Ａ〜７Ｆの回転方向とは逆方向（図３では反時計まわりの方向）で順に点灯し消灯する（点滅する）ようになっている。なお、第１群のＬＥＤ７Ａ〜７Ｆのそれぞれと、第２群のＬＥＤ７Ｇ〜７Ｌのそれぞれとが、お互いに同方向で順に点灯し消灯するようになっていてもよい。
【００３８】
さらに説明すると、第１群のＬＥＤ７Ａ〜７Ｆのそれぞれは、点灯と消灯とを繰り返すようになっている。また、点灯時間よりも消灯時間のほうが長くなっている。
【００３９】
そして、第１群のＬＥＤ７Ａ〜７Ｆの総てが消灯している状態から、１つ目のＬＥＤ７Ａが点灯し消灯し、続いて、１つ目のＬＥＤ７Ａの隣りの１つのＬＥＤである２つ目のＬＥＤ７Ｂが点灯して消灯し、続いて、２つ目のＬＥＤ７Ｂの隣りの１つのＬＥＤ（１つ目のＬＥＤ７Ａとは反対側のＬＥＤ）である３つ目のＬＥＤ７Ｃが点灯して消灯し、続いて、・・・１つ目のＬＥＤ７Ａに隣接する６個目のＬＥＤ７Ｆが点灯し消灯し、続いて、１つ目のＬＥＤ７Ａが点灯し消灯する動作を繰り返すようになっている。つまり、第１の直径の円１１の円周に沿って各ＬＥＤ７Ａ〜７Ｆが順に点灯し消灯する動作を円の複数周にわたって行うようになっている。
【００４０】
なお、上記説明では、第１群のＬＥＤ７Ａ〜７Ｆにおいて、２つ以上の複数のＬＥＤ７が同時に点灯することはないが、複数のＬＥＤ７が同時に点灯する場合があるように構成されていてもよい。たとえば、１つ目のＬＥＤ７Ａが点灯している状態で２つ目のＬＥＤ７Ｂが点灯し始め２つ目のＬＥＤ７Ｂが点灯している状態で１つ目のＬＥＤ７Ａが消灯するように構成されていてもよい。また、各ＬＥＤ７のそれぞれが、仮想円１１，１３の円周に沿って順に点滅するのではなく、ランダムに点滅するように構成されていてもよい。
【００４１】
第２群のＬＥＤ７Ｇ〜７Ｌも、第１群のＬＥＤ７Ａ〜７Ｆと同様に点灯するようになっている。ここで、第１群のＬＥＤ７Ａ〜７Ｆと第２群のＬＥＤ７Ｇ〜７Ｌとは互いが同期して点灯するようになっていてもよい。たとえば、ＬＥＤ７ＡとＬＥＤ７Ｇとが同時に点灯し消灯し、続いて、ＬＥＤ７ＢとＬＥＤ７Ｈとが同時に点灯し消灯し、同様にして、以下のＬＥＤが順に点灯し消灯する動作を繰り返すようになっていてもよい。また、たとえば、ＬＥＤ７Ａが点灯しこの後消灯すると同時にＬＥＤ７Ｇが点灯し、ＬＥＤ７Ｇが点灯しこの後消灯すると同時にＬＥＤ７Ｂが点灯し、同様にして、以下のＬＥＤが順に点灯し消灯する動作を繰り返すようになっていてもよい。
【００４２】
なお、各ＬＥＤ７の間隔が、必ずしも一定値になっていなくてもよい。さらに、複数のＬＥＤ７をベース体９の上面にランダムに配置した構成であってもよい。
【００４３】
発光具１によれば、透明体もしくは半透明体で筒状もしくはカップ状に第１の部材５を形成し、この第１の部材５の内側に発光部３を設けているので、発光部３が発した光が第１の部材５で反射され、第１の部材５を透過し、さらに反射と透過とを繰り返し、発光部３が発した光が人の目に届く。これにより、従来よりも装飾性が高くなっている。
【００４４】
特に、ＬＥＤ７を、図３で示すように配置し、上述した態様で発光させることで、二重螺旋に沿って、第１の部材５で点状の光源が移動するように見え装飾性が高くなる。
【００４５】
［第２の実施形態］
本発明の第２の実施形態に係る発光具１Ａは、図４で示すように、オブジェ１５を有している点で、第１の実施形態に係る発光具１と異なり、その他の点は、発光具１とほぼ同様に構成されている。
【００４６】
第２の実施形態に係る発光具１Ａのオブジェ１５は、透明体もしくは半透明体の中実の所定形状のかたまりで構成されている。
【００４７】
オブジェ１５は、第１の部材５とは別体になっており、発光部３が発した光の一部を透過し、他の一部を反射するようになっており、たとえば、星形状部位１７と円柱状部位１９とを備えて構成されている。なお、第１の部材５と同様に、オブジェ１５の表面に、必ずしも反射加工がされている必要はない。
【００４８】
星形状部位１７は、図４（ａ）に示すように、お互いが合同な２０個の三角形状の平面で囲まれた中実形状に形成されている。さらに説明すると、図４（ａ）に示すものでは、星形状部位１７の厚さ方向の一方の側にお互いが合同な１０個の三角形状の平面が形成されている。同様にして、星形状部位１７の厚さ方向の他方の側にお互いが合同な１０個の三角形状の平面が形成されている（図４（ｂ）参照）。円柱状部位１９は、星形状部位１７の５つの凹状部位の１つから突出している。
【００４９】
図４で示す第１の部材５は、円錐台側面状に形成されていることで筒状に形成されている。すなわち、図１や図２で示した第１の部材５から、小さな円錐側面状の頂上部を削除した形態になっている。
【００５０】
なお、本願では、筒は、円筒や角筒のように筒の中心軸に直交する平面による断面形状が常に一定形状になっているものだけでなく、筒の中心軸の延伸方向で形状が変化しているものを含むことにする。
【００５１】
さらに説明すると、本願における筒状とは、１つの平面に、１本の直線の中心軸を描き、上記１つの平面に上記中心軸と離れている所定の長さの１本の線分（必ずしも中心軸と平行である必要はない）や１本の曲線を描き、この描いた線分や曲線を上記中心軸まわりに３６０°回転したときに、上記直線や曲線の軌跡で表される回転体状の立体形状をいう。なお、上記線分や曲線は、自らが交差していないし、上記中心軸とも交差していない。
【００５２】
発光具１Ａでは、オブジェ１５の一部が第１の部材５の内部に入り込み、オブジェ１５の他部が第１の部材５の外部に位置するようにして、オブジェ１５が第１の部材５に設置されている。
【００５３】
さらに説明すると、オブジェ１５の円柱状部位１９が、第１の部材５の上端の円形状の開口部から第１の部材５の内部に入り込み、星形状部位１７が第１の部材５の上端の小さい円形状の開口部に引っかかるようにして、オブジェ１５が第１の部材５の上端に載置されている。
【００５４】
発光部３が発した光の一部が、円柱状部位１９のたとえば下面からオブジェ１５に入射し、この入射した光がオブジェ１５の星形状部位１７から発光具１Ａの外部に出射するようになっている。
【００５５】
なお、図５に示すように、第１の部材５をカップ状（たとえば、円錐側面状）に形成し、オブジェ１５の総てを第１の部材５の内部に設けてもよい。
【００５６】
この場合、発光部３が発した光の一部が、オブジェ１５に入射し、この入射した光がオブジェ１５から出射し、第１の部材５に照射されるようになっている。
【００５７】
さらに、オブジェ１５を第１の部材５の内部に設けた場合において、第１の部材５を円錐台側面状に形成してもよいし、また、オブジェ１５は中実状になっているが、オブジェ１５の内部に空洞を設けてあってもよい。
【００５８】
発光具１Ａによれば、透明体もしくは半透明体で構成されているオブジェ１５を有し、発光部３が発した光が、第１の部材５だけでなくオブジェ１５を透過しオブジェ１５で反射される。これにより、装飾性が一層高くなっている。
【００５９】
なお、発光具１，１Ａにおいて、第１の部材５を、図６で示すように、正多角錐側面状に形成してもよい。図７は、図６で示す第１の部材５の展開図であり、図６、図７に示す放射状の複数の線分２１は、折り曲げ線である。折り曲げ線２１の間の二等辺三角形の箇所は、正多角錐側面状の第１の部材５では平面になっている。
【００６０】
［第３の実施形態］
本発明の第３の実施形態に係る発光具１Ｂは、図８で示すように、第１の部材５と同様な第２の部材２３が、第１の部材５に重なって設けられている点が、第１の実施形態に係る発光具１や第２の実施形態に係る発光具１Ａと異なり、その他の点は、発光具１，１Ａとほぼ同様に構成されている。
【００６１】
発光具１Ｂの第２の部材（第２の収容体）２３は、透明体もしくは半透明体（たとえば、ハーフミラー）で筒状もしくはカップ状に形成されており、第１の部材５に重なっている。第２の部材２３は、たとえば、第１の部材５とほぼ同様な形状に形成されている。
【００６２】
さらに説明すると、図８（ａ）で示す発光具１Ｂでは、第１の部材５が正多角錐側面状に形成されており、第２の部材２３が円錐側面状に形成されている。そして、第１の部材５が第２の部材２３の内部に収まるようにして、第１の部材５に第２の部材２３が重なっている。これにより、図９（ａ）で示すように、第１の部材５の稜線２５が、第２の部材２３の内周面に線接触している。また、この線接触している部位以外の部位では、第１の部材５と第２の部材２３との間に、僅かな大きさの間隙２７が形成されている。
【００６３】
図８（ｂ）で示す発光具１Ｂでは、第１の部材５が円錐側面状に形成されており、第２の部材２３が正多角錐側面状に形成されている。そして、第１の部材５が第２の部材２３の内部に収まるようにして、第１の部材５に第２の部材２３が重なっている。これにより、図９（ｂ）で示すように、第１の部材５の母線２９が、第２の部材２３の平面状の内周面に線接触している。また、この線接触している部位以外の部位では、第１の部材５と第２の部材２３との間に、僅かな大きさの間隙２７が形成されている。
【００６４】
なお、図８（ａ）、（ｂ）で示す発光具１Ｂは、第２の部材２３が第１の部材５の外側で（第２の部材２３の内側に第１の部材５が入り込んだ態様で）第１の部材５に重なっており、第１の部材５の外面の一部が、第２の部材２３の内面の一部に、線接触、点接触の少なくともいずれかの態様で接触しており、第１の部材５の外面の他の部位と、第２の部材２３の内面の他の部位との間には、間隙２７が形成されている発光具の例である。
【００６５】
発光具１Ｂによれば、第１の部材５に第２の部材２３が重なっているので、発光部３が発した光が、第１の部材５と第２の部材２３とで反射や透過を繰り返し、一層、装飾性が高まる。
【００６６】
また、発光具１Ｂによれば、第１の部材５の外面の一部が、第２の部材２３の内面の一部に、線接触、点接触の少なくともいずれかの態様で接触しているので、この接触箇所やこの接触箇所の周辺で、発光部３が発した光の収束や拡散が発生し、第１の部材５や第２の部材２３で、これらの部位による光の強度の差が大きくなり、複雑な形態で第１の部材５や第２の部材２３が発光しているように見える。
【００６７】
ところで、図８に示す発光具１Ｂでは、第１の部材５に第２の部材２３が接触して第１の部材５に第２の部材２３が重なっているが、図８に示す態様から第１の部材５と第２の部材２３とをお互いに離して図１０に示すようにしてもよい。図１０で示す発光具１Ｃでは、たとえば、図示しない支持部材を用いて、第１の部材５から第２の部材２３を離してあり、第１の部材５と第２の部材２３とがお互いに非接触になっており、さらに、第１の部材５の下側１／２〜１／４の部位が、第２の部材２３から露出している。
【００６８】
なお、上記説明では、第１の部材５に、第２の部材２３を重ねていることで部材が２重になっているが、２つでなく３つ以上の複数の部材を多重に重ねた構成であってもよい。この場合、図８に示す態様、図１０に示す態様を混合した構成であってもよい。
【００６９】
また、上記説明では、第１の部材５や第２の部材２３に対して移動しない（位置が固定されている）複数のＬＥＤ７を用いて発光部３を構成しているが、図１１で示すように、発光部３のＬＥＤ７を第１の部材５や第２の部材２３に対して相対的に移動させてもよい。
【００７０】
図１１で示す発光具１Ｄは、ＬＥＤ設置体３１にＬＥＤ７（７Ａ，７Ｂ）を設置してあり、ＬＥＤ設置体３１をモータ３３等のアクチュエータで回転させることで、ＬＥＤ７を第１の部材５や第２の部材２３に対して移動している。この場合、ＬＥＤ７が点灯してままでもよいし、点滅してもよい。
【００７１】
また、上記説明では、第１の部材５や第２の部材２３が、円錐側面状、円錐台側面状、正多角錐側面状になっているが、図１２（ａ）で示すように、第１の部材５や第２の部材２３が、円筒状、有底円筒状（円筒形の桝状）になっていてもよいし、１２（ｂ）で示すように、第１の部材５や第２の部材２３が、角筒状、有底角筒状（直方体状の桝状）になっていてもよいし、１２（ｃ）で示すように、第１の部材５や第２の部材２３が、角錐側面状（たとえば、四角錐側面状）になっていてもよい。すなわち、第１の部材５や第２の部材２３が、筒状もしくは桝状になっていればよい。
【符号の説明】
【００７２】
１  発光具
３  発光部
５  第１の部材
７  発光体（ＬＥＤ）
１５  オブジェ
２３  第２の部材
【図１】
0006676367.tif 000002
【図２】
0006676367.tif 000003
【図３】
0006676367.tif 000004
【図４】
0006676367.tif 000005
【図５】
0006676367.tif 000006
【図６】
0006676367.tif 000007
【図７】
0006676367.tif 000008
【図８】
0006676367.tif 000009
【図９】
0006676367.tif 000010
【図１０】
0006676367.tif 000011
【図１１】
0006676367.tif 000012
【図１２】
0006676367.tif 000013